(57)【要約】      （修正有）【課題】台座のコイル収容部へのコイルの設置が容易であり、各コイルが適切に隔離されるコイル定位台座付きコネクタの内部構造を提供する。【解決手段】サイド連接板１１に、複数の金属端子１１１が設けられ、基板構造１２が、抵抗及びコンデンサを有するＲＣ素子１２３と、第一基板１２１と、第二基板１２２とを含み、第一基板及び第二基板が、前記サイド連接板の片面に間隔を有し垂直に設置され、金属端子が、第一基板又は第二基板と電気的に連接され、コイル定位台座が、前記第一基板と第二基板との間に設置され、コイル定位台座に複数のコイルが収容され、コイルの連接線が、前記基板の側面に延長されることによる。【選択図】図２
0003118484.tif 000002
【実用新案登録請求の範囲】
【請求項１】
サイド連接板と、基板構造と、コイル定位台座とを含むコネクタの内部構造において、
前記サイド連接板に、複数の金属端子が設けられ、
前記基板構造が、抵抗及びコンデンサを有するＲＣ素子と、第一基板と、第二基板とを含み、
前記第一基板及び第二基板が、前記サイド連接板の片面に間隔を有し垂直に設置され、
前記金属端子が、第一基板又は第二基板と電気的に連接され、
前記コイル定位台座が、前記第一基板と第二基板との間に設置され、
前記コイル定位台座に複数のコイルが収容され、
前記コイルの連接線が、前記基板の側面に延長されることを特徴とする、コイル定位台座を有するコネクタの内部構造。
【請求項２】
前記コイル定位台座が、コイルの数に対応する収容部を有する、コイル収容式定位台座であり、
前記収容部間及び収容部とコイル定位台座の外側面との間に、コイルの連接線を通すための、異なる深さを有する溝が設けられ、
前記コイルが前記コイル定位台座の収容部に収められ、
前記コイルの連接線が前記溝を通り、前記基板と電気的に連接されることを特徴とする、請求項１に記載のコイル定位台座を有するコネクタの内部構造。
【請求項３】
前記第一基板と第二基板との間に、２つの前記コイル定位台座が、互いに間隔を開けて設けられたことを特徴とする、請求項１又は２に記載のコイル定位台座を有するコネクタの内部構造。
【請求項４】
前記第一基板と、第二基板と、第一基板と第二基板との間に設置されたコイル定位台座とが立方体を形成する、請求項１〜３の何れか一に記載のコイル定位台座を有するコネクタの内部構造。
【請求項５】
前記コイル定位台座が、第一基板及び第二基板と接触する箇所に凸部を有し、
前記コイルの連接線と、第一基板及び第二基板とが、前記凸部で溶接されることを特徴とする、請求項１〜４の何れか一に記載のコイル定位台座を有するコネクタの内部構造。
【請求項６】
前記複数のコイルが、コイル定位台座の収容部に一定方向に向かい収められることを特徴とする、請求項２〜５の何れか一に記載のコイル定位台座を有するコネクタの内部構造。
【請求項７】
前記抵抗及びコンデンサを有するＲＣ素子が、前記第一基板と第二基板との間に跨って設けられることを特徴とする、請求項３〜６の何れか一に記載のコイル定位台座を有するコネクタの内部構造。
【考案の詳細な説明】
【技術分野】
【０００１】
本考案はコイル定位台座付きコネクタの内部構造に関し、特に、通信用コネクタ内にあるコイルを定位台座に収容し、コイルと基板とを容易に連結することができるコイル収容式コイル定位台座付きコネクタの内部構造に関する。
【背景技術】
【０００２】
通信用コネクタの内部には、異常電圧防止、ノイズフィルタのために多数のコイルを回路内に設置することが必要である。特に現在の高速通信用コネクタは８つの端子が全て使用されているので、８つのコイルを設ける必要があり、コイルの数量が従来より多くなる。従来のコネクタの構造では、コイルはプリント基板に任意に貼り付けられ、この方法によると、コイルが正確に定位されず、精度が不安定となる。また、８つのコイルと回路板との連結は極めて困難であり、組立作業に習熟を要し、生産性の高いものではなかった。
【０００３】
米国特許第6811442号（特許文献１）及び台湾実用新案登録第92216829号（特許文献２）では、コネクタにおけるコイル収容式定位台座において、ＲＣ素子を含むプリント回路板が使用され、そのプリント基板に多数のコイルが取り付けられ、異常電圧の防止及びノイズフィルタ機能を有する通信用コネクタの内部構造が開示されている。この内部構造は、１つの台座と、台座と平行に接続可能であって複数の金属端子が設けられたサイド連接板とから構成された定位装置により、複数のコイルが定位され、台座にはコイルに対応する複数の収容部が成型され、各コイルは収容部に設置され、関連する部材及びプリント基板と電気的に接続される。また、収容部と収容部の間と、収容部と台座の外面には、コイルの連接線を通すための溝が設けられている。
【０００４】
上記構造により、このようなコネクタは品質が向上し、生産性が向上し、作業者の習熟度に依存することなく、生産コストが低減され、完成品の検査が容易となり、バッチ処理による生産が可能となる。
【０００５】
このようなコネクタは主に通信用途で使用され、現在、通信速度の高速化により、信号転送及び信号接収が高速となり、コネクタの全８つの端子が使用され、コネクタ内部のコイルも８つ設置することが必要となる。しかしながら、従来のコネクタの構造では８つのコイルを収容することはできない。
【特許文献１】米国特許第6811442号公報
【特許文献２】台湾実用新案登録第92216829号公報
【考案の開示】
【考案が解決しようとする課題】
【０００６】
本考案の目的は、台座のコイル収容部へのコイルの設置が容易であり、各コイルが適切に隔離されるコイル定位台座付きコネクタの内部構造を提供することである。
【課題を解決するための手段】
【０００７】
本考案者らは、鋭意研究を重ねた結果、コネクタにコイルの収容部を有する複数の定位台座を設けることによって、上記課題を解決するコイル定位台座付きコネクタの構造を完成した。
【０００８】
すなわち、本考案のコイル定位台座付きコネクタの構造は、以下よりなる。
１．サイド連接板と、基板構造と、コイル定位台座とを含むコネクタの内部構造において、
前記サイド連接板に、複数の金属端子が設けられ、
前記基板構造が、抵抗及びコンデンサを有するＲＣ素子と、第一基板と、第二基板とを含み、
前記第一基板及び第二基板が、前記サイド連接板の片面に間隔を有し垂直に設置され、
前記金属端子が、第一基板又は第二基板と電気的に連接され、
前記コイル定位台座が、前記第一基板と第二基板との間に設置され、
前記コイル定位台座に複数のコイルが収容され、
前記コイルの連接線が、前記基板の側面に延長されることを特徴とする、コイル定位台座を有するコネクタの内部構造。
２．前記コイル定位台座が、コイルの数に対応する収容部を有する、コイル収容式定位台座であり、
前記収容部間及び収容部とコイル定位台座の外側面との間に、コイルの連接線を通すための、異なる深さを有する溝が設けられ、
前記コイルが前記コイル定位台座の収容部に収められ、
前記コイルの連接線が前記溝を通り、前記基板と電気的に連接されることを特徴とする、前項１に記載のコイル定位台座を有するコネクタの内部構造。
３．前記第一基板と第二基板との間に、２つの前記コイル定位台座が、互いに間隔を開けて設けられたことを特徴とする、前項１又は２に記載のコイル定位台座を有するコネクタの内部構造。
４．前記第一基板と、第二基板と、第一基板と第二基板との間に設置されたコイル定位台座とが立方体を形成する、前項１〜３の何れか一に記載のコイル定位台座を有するコネクタの内部構造。
５．前記コイル定位台座が、第一基板及び第二基板と接触する箇所に凸部を有し、
前記コイルの連接線と、第一基板及び第二基板とが、前記凸部で溶接されることを特徴とする、前項１〜４の何れか一に記載のコイル定位台座を有するコネクタの内部構造。
６．前記複数のコイルが、コイル定位台座の収容部に一定方向に向かい収められることを特徴とする、前項２〜５の何れか一に記載のコイル定位台座を有するコネクタの内部構造。
７．前記抵抗及びコンデンサを有するＲＣ素子が、前記第一基板と第二基板との間に跨って設けられることを特徴とする、前項３〜６の何れか一に記載のコイル定位台座を有するコネクタの内部構造。
【考案の効果】
【０００９】
本考案によれば、コイル定位台座にあるコイル収容部へのコイルの設置が容易となり、また、各コイルが適切に隔離され、製造コストが低減される。
【考案を実施するための最良の形態】
【００１０】
以下に、本考案の一実施形態を示し、具体的に説明するが、本考案はこれらに限定されるものではない。
【００１１】
図１〜４に示すように、本考案のコネクタ１０は、複数のコイル定位台座が設けられ、金属ハウジング３０に覆われている。
【００１２】
また、図２〜４に示すように、本考案のコネクタ１０は、その内部に、１つのサイド連接板１１を有し、サイド連接板１１には金属端子１１１が複数設けられる。ＲＪ４５タイプのネットワークカード用コネクタにおいては、金属端子は８つ設けられる。サイド連接板１１の上面には、抵抗及びコンデンサを有するＲＣ素子１２３を含む基板構造１２が設けられる。
【００１３】
基板構造１２は、抵抗及びコンデンサを有するＲＣ素子１２３、第一基板１２１及び第二基板１２２を有してなる。第一基板１２１と第二基板１２２とは、互いに間隔をおいて、サイド連接板１１の同面に、サイド連接板１１に対し垂直に設けられる。金属端子１１１は第二基板１２２と電気的に連接される。
【００１４】
第一基板１２１と第二基板１２２との間に、コイル１４を収容するためのコイル収容式定位台座１３１、１３２が設けられる。第一基板１２１と第二基板１２２とにまたがって設けられる抵抗及びコンデンサを有するＲＣ素子１２３は、コイル収容式定位台座１３１と１３２との間に設けられる。
【００１５】
第一基板１２１及び第二基板１２２、並びにコイル収容式定位台座１３１及び１３２は立方体を形成し、コイル収容式定位台座１３１及び１３２の収容部２１へのコイル１４の取り付けが容易となり、また、コイル１４の連接線と第一基板１２１及び第二基板１２２との連接も容易となり、これらをサイド連接板へ固定することも容易となる。
【００１６】
図２に示すように、コイル収容式定位台座１３１及び１３２は、８つの金属端子１１１に対応するコイルを収容すべく、各々４つの収容部２１を有する。コイル収容式定位台座の収容部２１間及び収容部２１と外側面との間には、コイル１４の連接線を通すために、深さの異なる溝２２及び２３が設けられる。コイル１４の連接線は、溝２２又は２３を通じ、第一基板１２１又は第二基板１２２と電気的に連接される。
【００１７】
本考案のコイル定位台座付きコネクタは、必要であれば、第一基板１２１と第二基板１２２との間に、コイル収容式定位台座を追加的に設けることができる。それらのコイル収容式定位台座は、第一基板１２１と第二基板１２２と共に立方体を形成することが望ましい。これにより、サイド連接板１１への組み付けが容易となる。また、収容部２１の数も、必要に応じ増減することが可能である。
【００１８】
また、本考案のコネクタのコイル収容式定位台座は１つでもよく、そこで、コイル収容式定位台座には、収容部が８つ設けられる。
【００１９】
また、図２及び３に示すように、コイル収容式定位台座１３２が第一基板１２１及び第二基板１２２に接触する箇所には、凸部２４が形成され、コイル１４の連接線と第一基板１２１及び第二基板１２２とは凸部２４で溶接される。
【００２０】
コイル１４を収容する空間を縮小するため、コイル収容式定位台座１３１及び１３２に設けられた収容部２１は矩形であり、コイル１４を収容部２１の内部に一定方向に収めることができる。
【００２１】
また、図５に示すように、コイル収容式定位台座５０は枠体でもよく、コイル５４が枠体内に収容され、コイル５４の連接線がコイル収容式定位台座５０の外縁にのび、基板６２の連接される。
【産業上の利用可能性】
【００２２】
本考案により、台座のコイル収容部へのコイルの設置が容易であり、各コイルが適切に隔離されるコイル定位台座付きコネクタを製造可能となる。
【図面の簡単な説明】
【００２３】
【図１】本考案のコイル定位台座付きコネクタの斜視図である。
【図２】本考案のコイル定位台座付きコネクタの分解斜視図である。
【図３】本考案のコイル定位台座付きコネクタの側面図である。
【図４】本考案のコイル定位台座付きコネクタの平面図である。
【図５】本考案のコイル定位台座付きコネクタの他の実施例を示す側面図である。
【符号の説明】
【００２４】
１０    コネクタ
１１    サイド連接板
１１１  金属端子
１２    基板構造
１２１  第一基板
１２２  第二基板
１２３  抵抗とコンデンサを有するＲＣ素子
１３１  コイル収容式定位台座
１３２  コイル収容式定位台座
１４    コイル
２１    収容部
２２    溝
２３    溝
２４    凸部
３０    金属ハウジング
５０    コイル収容式定位台座
５４    コイル
６２    基板
【図１】
0003118484.tif 000003
【図２】
0003118484.tif 000004
【図３】
0003118484.tif 000005
【図４】
0003118484.tif 000006
【図５】
0003118484.tif 000007